(57)【要約】【課題】本発明は、入力時の労力軽減と、誤入力の防止でき、盗聴されることなく共通の通信設定情報を容易且つ確実に通信装置間で設定できる情報設定装置を提供することを目的とする。【解決手段】ネットワークに接続可能なインターフェースを有する蓄積部搭載情報設定装置３であって、ネットワークに接続される通信機器相互間の通信に使用される通信設定情報を記憶する記憶手段と、装置全体を制御する制御手段とを備え、制御手段には、インターフェースを介して、ネットワークに接続された無線アクセスポイント１から通知される通信設定情報を記憶手段に記憶する情報取得手段と、情報取得手段が取得した通信設定情報を記憶手段から取り出し、インターフェースを介して、無線クライアント２に通信設定情報を送信する情報送信手段と、が設けられたことを主要な特徴とする。【選択図】図１
2005260539.tif 000002
【特許請求の範囲】
【請求項１】
無線ネットワークに接続される通信機器と接続可能な有線インターフェースを有する情報設定装置であって、
前記通信機器で使用される情報のうち、少なくとも前記通信機器相互間の無線通信に使用される通信設定情報を記憶する記憶手段と、装置全体を制御する制御手段とを備え、
前記制御手段には、前記インターフェースを介して接続された第１の通信機器から通知される前記通信設定情報を前記記憶手段に記憶する情報取得手段と、
前記情報取得手段が取得した前記通信設定情報を前記記憶手段から取り出し、前記インターフェースを介して接続された第２の通信機器に前記通信設定情報を送信する情報送信手段と、が設けられたことを特徴とする情報設定装置。
【請求項２】
前記制御手段が、前記設定情報取得手段と前記設定情報送信手段とを切り替えて動作させるための切り替え手段を有することを特徴とする請求項１に記載の情報設定装置。
【請求項３】
前記切り替え手段が物理スイッチからの入力で切り替えられることを特徴とする請求項２に記載の情報設定装置。
【請求項４】
前記切り替え手段が、前記第1の通信機器から前記情報取得手段によって前記通信設定情報を取得した後、前記第２の通信機器に自動設定要求を送信し、所定時間内に応答がなかった場合に、前記情報取得手段から前記情報送信手段に切り替えて動作させることを特徴とする請求項２に記載の情報設定装置。
【請求項５】
前記通信設定情報が無線ＬＡＮ設定情報であることを特徴とする請求項１〜４のいずれかに記載の情報設定装置。
【請求項６】
表示手段を備え、前記制御手段が前記情報取得手段及び／または前記情報送信手段の動作状態を前記表示手段で表示させることを特徴とする請求項１〜５のいずれかに記載の情報設定装置。
【請求項７】
前記インターフェースから供給される電源を受信し、前記制御手段及び前記記憶手段への電源を供給する電源回路を有することを特徴とする請求項１〜６のいずれかに記載の情報設定装置。
【請求項８】
前記インターフェースに接続された通信機器を識別するための端子と、前記端子に接続された機器識別回路とを有することを特徴とする請求項１〜７のいずれかに記載の情報設定装置。
【請求項９】
前記インターフェースがＬＡＮインターフェースであることを特徴とする請求項１〜８いずれか記載の情報設定装置。
【請求項１０】
ネットワークに接続されたクライアントから送信された情報を記録し、該情報を要求するクライアントに該情報を送信するための情報蓄積部と、前記情報の入出力管理を行う情報管理サーバを搭載したことを特徴とする請求項１〜９のいずれかに記載の情報設定装置。
【発明の詳細な説明】
【技術分野】
【０００１】
本発明は、無線の通信リンクを確立させるためなどで必要な共通の設定情報を通信機器間で設定する情報設定装置、とくにネットワークストレージ機能を有する情報設定装置に関するものである。
【背景技術】
【０００２】
近年、無線接続技術の普及により無線ＬＡＮからインターネットへの接続が行われるようになってきた。しかし、有線ＬＡＮに比べると電波の傍受が簡単で、通信の秘密が漏洩し易いし、インターネットへの接続を成済ましでただ乗りされる可能性がある。
【０００３】
そこで、セキュリティを確保するために機器間で共通のＥＳＳＩＤ（Ｅｘｔｅｎｄｅｄ
Ｓｅｒｖｉｃｅ  Ｓｅｔ  Ｉｄｅｎｔｉｆｉｅｒ）を設定し、外部からの侵入を防ぐためＷＥＰ（Ｗｉｒｅｄ  Ｅｑｕｉｖａｌｅｎｔ  Ｐｒｉｖａｃｙ）を使ってデータの暗号化を行っている。しかし、これらの処理を利用するためには、無線アクセスポイントと無線クライアントの間で同じ設定がなされる必要がある。現状では、これらの設定は利用者が手動で行うのが一般的であるが、専門的な知識のない利用者が設定するのは困難である。そして、このような設定を行わないままデフォルトの設定をそのまま使ってしまう人も多い。これが盗聴の可能性をさらに広げることになる。
【０００４】
そして、従来、秘匿性を特別に要しないような場合には、無線端末がＬＡＮ機能を有する機器にＥＳＳＩＤと共に別のＩＤを送信し、機器は予め自分の有しているＩＤと照合して一致したとき接続を許可して無線通信チャネルを確立する設定方法が提案されている（特許文献１参照）。この技術では共通のＩＤとして、例えば機器の有しているエラーパケット数のような統計情報が使用される。
【特許文献１】特開２００２−１９８９７１号公報
【発明の開示】
【発明が解決しようとする課題】
【０００５】
このようにセキュリティを確保するためには、無線ＬＡＮ機器は、無線ルータなどの無線アクセスポイントと、無線クライアントとの間で同じＥＳＳＩＤ、ＷＥＰキー等の情報を使用する必要があり、各機器で個別にそれらの情報を設定している。この設定は、セキュリティの強化に伴って設定量が増加しており、各端末で手入力するのは負担が大きい。利用者の中にはセキュリティ設定を行わないままデフォルトの設定のまま使うことも多い。そして手入力の場合、誤入力すると通信ができなくなる危険性もある。また、特許文献１のように、ＥＳＳＩＤのほかに統計情報等の共通のＩＤを使い、無線を用いて設定することもできるが、盗聴される可能性が残る。
【０００６】
そこで本発明は、上記従来の課題に鑑み、入力時の労力軽減と、誤入力の防止でき、盗聴されることなく共通の通信設定情報を容易且つ確実に通信装置間で設定できる情報設定装置を提供することを目的とする。
【課題を解決するための手段】
【０００７】
上記従来の課題を解決するために本発明は、ネットワークに接続可能なインターフェースを有する情報設定装置であって、ネットワークに接続される通信機器相互間の通信に使用される通信設定情報を記憶する記憶手段と、装置全体を制御する制御手段とを備え、制御手段には、インターフェースを介して、ネットワークに接続された第１の通信機器から通知される通信設定情報を記憶手段に記憶する情報取得手段と、情報取得手段が取得した
通信設定情報を記憶手段から取り出し、インターフェースを介して、第２の通信機器に通信設定情報を送信する情報送信手段と、が設けられたことを主要な特徴とする。
【発明の効果】
【０００８】
本発明によれば、入力時の労力軽減と、誤入力の防止でき、盗聴されることなく共通の通信設定情報を容易且つ確実に通信装置間で設定できるという利点がある。このときＬＡＮインターフェースを備えたネットワークストレージを使用する場合、設定入力の煩雑さを解消することができ、また、インターフェースで接続し、無線を使わないため安全に設定することができる。
【発明を実施するための最良の形態】
【０００９】
上記課題を解決するために本発明の第１の発明は、ネットワークに接続可能なインターフェースを有する情報設定装置であって、ネットワークに接続される通信機器相互間の通信に使用される通信設定情報を記憶する記憶手段と、装置全体を制御する制御手段とを備え、制御手段には、インターフェースを介して、ネットワークに接続された第１の通信機器から通知される通信設定情報を記憶手段に記憶する情報取得手段と、情報取得手段が取得した通信設定情報を記憶手段から取り出し、インターフェースを介して、第２の通信機器に通信設定情報を送信する情報送信手段と、が設けられたことを特徴とする情報設定装置であり、情報取得手段によって第１の通信機器から通信設定情報を取得し、取得した通信設定情報を情報送信手段によって第２の通信機器に送信するので、入力時の労力軽減と、誤入力の防止でき、盗聴されることなく共通の通信設定情報を容易且つ確実に通信装置間で設定できる。
【００１０】
本発明の第２の発明は、第１の発明に従属する発明であって、制御手段が、設定情報取得手段と設定情報送信手段とを切り替えて動作させるための切り替え手段を有する情報設定装置であり、相手の通信機器に対して通信設定情報を要求するのか、あるいは送信するのか、のモードの切り替えが行え、１つの情報設定装置で通信設定情報の取得と送信が容易に行える。
【００１１】
本発明の第３の発明は、切り替え手段が物理スイッチからの入力で切り替えられる情報設定装置であり、切り替えが最も簡単に行える。
【００１２】
本発明の第４の発明は、第２の発明に従属する発明であって、制御手段が、インターフェースを介して、自動設定要求をした後所定時間内に応答があった場合に情報取得手段を動作させ、所定時間内に応答がなくさらに第２の所定時間内に自動設定要求が送信された場合には情報送信手段を動作させる情報設定装置であり、自動設定要求に対する相手の通信機器の応答の違いによって、通信設定情報を容易且つ確実に設定できる。
【００１３】
本発明の第５の発明は、第１〜４のいずれかの発明に従属する発明であって、通信設定情報が無線ＬＡＮ設定情報である情報設定装置であり、無線ＬＡＮの設定時の盗聴を防止することができる。
【００１４】
本発明の第６の発明は、第１〜５のいずれかの発明に従属する発明であって、表示手段を備え、制御手段が情報取得手段及び／または情報送信手段の動作状態を表示手段で表示させる情報設定装置であり、通信機器と接続して通信設定情報を取得し、送信しているとき、実行中の処理が何なのか判断でき、扱い易い装置を提供できる。
【００１５】
本発明の第７の発明は、第１〜６のいずれかの発明に従属する発明であって、インターフェースから供給される電源を受信し、制御手段及び記憶手段への電源を供給する電源回路を有する情報設定装置であり、電源の交換等を行わなくてもよく、扱い易い装置を提供
できる。
【００１６】
本発明の第８の発明は、第１〜７のいずれかの発明に従属する発明であって、インターフェースに接続された通信機器を識別するための端子と、端子に接続された機器識別回路とを有する情報設定装置であり、物理スイッチ等で切り替えをしなくても自動的に相手の通信機器を判別して、通信設定情報を取得し送信できる。
【００１７】
本発明の第９の発明は、第１〜８のいずれかの発明に従属する発明であって、インターフェースがＬＡＮインターフェースである情報設定装置であり、通信機器に備わっているＬＡＮインターフェースを利用して通信設定情報を取得し送信できる。
【００１８】
本発明の第１０の発明は、第１〜９のいずれかの発明に従属する発明であって、ネットワークに接続されたクライアントから送信された情報を記録し、該情報を要求するクライアントに該情報を送信するための情報蓄積部と、情報の入出力管理を行う情報管理サーバを搭載した情報設定装置であり、情報蓄積部と情報管理サーバを搭載したＬＡＮインターフェースを備えたネットワークストレージとなり、ネットワークに必要なネットワークストレージを利用して、設定入力の煩雑さを解消することができ、無線を使わないため安全に設定することができる。
【００１９】
（実施の形態１）
以下、本発明の実施の形態１の情報設定装置を使った無線アクセスポイントと無線クライアント間の無線ＬＡＮ設定情報の設定について説明する。図１は本発明の実施の形態１における無線システムの構成図、図２は本発明の実施の形態１の情報設定装置の斜視図、図３は本発明の実施の形態１における情報設定装置の内部ブロック構成図、図４（ａ）は本発明の実施の形態１における無線アクセスポイントの内部ブロック構成図、図４（ｂ）は本発明の実施の形態１における無線クライアントの内部ブロック構成図である。
【００２０】
図１において、１は無線アクセスポイント（本発明の第１の通信機器）、２は無線アクセスポイント１との間で、無線プロトコル（ＩＥＥＥ８０２．１１ａ／ｂ／ｇなどの規格に準拠したプロトコル）により通信リンクを確立し、その通信リンク上でＴＣＰ／ＵＤＰやＴＣＰ／ＩＰプロトコルによるデータ通信が可能な無線コンピュータ装置やネットワークカメラなどの無線クライアント（本発明の第２の通信機器）である。３は無線アクセスポイント１や無線クライアント２のネットワークコネクタ７に装着することによって無線ＬＡＮ設定情報（本発明の通信設定情報）を設定することができるネットワークストレージ機能を搭載した蓄積部搭載情報設定装置（本発明の情報設定装置）である。
【００２１】
蓄積部搭載情報設定装置３のコネクタ４は無線アクセスポイント１や無線クライアント２のネットワークコネクタ７（ＲＪ−４５のモジュラ式８ピンジャック）に装着されて通信することができる。蓄積部搭載情報設定装置３のネットワークストレージ機能は、ネットワーク内のクライアント（図示しない）から送信されたファイルやプログラム等の各種情報を内部に蓄積し、情報を要求するクライアントに対してはこの情報を取り出して送信するＮＡＳ（Ｎｅｔｗｏｒｋ  Ａｔｔａｃｈｅｄ  Ｓｔｏｒａｇｅ）、ＳＡＮ（Ｓｔｏｒａｇｅ  Ａｒｅａ  Ｎｅｔｗｏｒｋ）等の機能である。なお、実施の形態１においては、本発明の情報設定装置として蓄積部搭載情報設定装置３を説明するが、ネットワークストレージ機能を有すものに限られるものではない。
【００２２】
また、無線ＬＡＮ設定情報として設定されるパラメータには、ＥＳＳＩＤ、動作モード、通信モード、プリアンブル、認証方式等がある。さらに無線ＬＡＮ設定情報には暗号化に関するパラメータが含められ、暗号化方式、ＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）の有無、標準キー、
暗号キー等が設定される。なお、ＥＳＳＩＤは最大３２文字から構成され、暗号化方式は、暗号化無し，ＷＥＰ６４、ＷＥＰ１２８、ＷＥＰ１５２、ＴＫＩＰ、ＡＥＳ等があり、１つの方式を指定する。そして本発明の通信設定情報はこれらに限られるものではない。
【００２３】
続いて、本発明の実施の形態１の蓄積部搭載情報設定装置３の構成について図２，３に基づいて説明する。図２において、４は無線アクセスポイント１や無線クライアント２の有線ＬＡＮインターフェースに装着するためのコネクタ（本発明の有線インターフェース）である。この無線アクセスポイント１や無線クライアント２のＬＡＮインターフェースは、ＩＥＥＥ８０２．３（ＣＳＭＡ／ＣＤ）等のＬＡＮ規格に適合したインターフェースであり、実施の形態１ではイーサネット（登録商標）に適合したインターフェースである。コネクタ４はこのＬＡＮインターフェースに装着されるＲＪ−４５のモジュラ式８ピンプラグである。
【００２４】
５は蓄積部搭載情報設定装置３が実行しているモードやエラーが発生したときの状態を表示するＬＥＤ、６は無線ＬＡＮ設定情報を取得するモードと無線ＬＡＮ設定情報を送信するモードの切り替えを行うスイッチである。ＬＥＤ５には、動作状態を表示する第１ＬＥＤ５ａと、エラー発生表示を行う第２ＬＥＤ５ｂの２つが設けられている。無線ＬＡＮ設定情報が設定済みの通信機器からデータを受信しているときには第１ＬＥＤ５ａが点滅する。逆に無線ＬＡＮ設定情報が未設定の通信機器にデータを送信中のときには緩やかな間隔で点滅を行い、設定が完了すると点灯状態に移行する。第２ＬＥＤ５ｂは赤ランプでエラーが発生したときに点滅する。
【００２５】
次に蓄積部搭載情報設定装置３の内部構成について説明すると、図３において、１１は無線アクセスポイント１や無線クライアント２と通信するためのＩＥＥＥ８０２．３（ＣＳＭＡ／ＣＤ）等のＬＡＮ規格に適合したＬＡＮインターフェース（本発明のネットワークインターフェース）であり、無線アクセスポイント１や無線クライアント２と同様、実施の形態１においてはイーサネット（登録商標）に適合したインターフェースである。１２は実施の形態１の蓄積部搭載情報設定装置３がネットワークストレージとしての機能を備えているため、ネットワーク上の各種情報を蓄積する情報蓄積部である。１２ａはネットワーク内のクライアントからの要求で情報蓄積部１２にファイルやプログラム等の情報を記録したり取り出したりするＮＦＳやＣＩＦＳ等の情報管理サーバである。これによってネットワーク上のクライアントはファイルや情報を共有できる。１３はＬＥＤ５を駆動する表示部である。
【００２６】
また、１４は各種情報を記憶するとともにプログラムを記憶した記憶部である。記憶部１４は基本のプログラムを記憶したＲＯＭと、書き換え可能なＥＰＰＲＯＭと、無線ＬＡＮ設定情報を書き込むためのフラッシュメモリ等から構成される。１４ａは無線ＬＡＮ設定情報を記録する設定情報記憶部である。また、１５は蓄積部搭載情報設定装置３全体のシステム制御を行い、ネットワークのクライアントからの要求で情報蓄積部１２に情報を入出力させる制御部である。
【００２７】
制御部１５は、ハードウェアとしては中央処理演算装置（以下、ＣＰＵ）から構成され、記憶部１４のプログラムを読み込んでソフトウェア的に機能実現手段として実現される。１５ａは無線アクセスポイント１のネットワークコネクタ７にコネクタ４を装着して、無線アクセスポイント１に無線ＬＡＮ設定情報を要求し、通知された通信設定情報を設定情報記憶部１４ａに記憶する情報取得手段である。同様に、１５ｂは情報取得手段１５ａが取得した通信設定情報を設定情報記憶部１４ａから取り出し、無線クライアント２のＬＡＮポートにコネクタ４を装着して、所定のプロトコルに従って通信設定情報を送信する情報送信手段である。
【００２８】
１６はＩＥＥＥ８０２．３ａｆ規格に準拠したＰｏＥ（Ｐｏｗｅｒ  ｏｖｅｒ  Ｅｔｈｅｒｎｅｔ（登録商標））により電源供給機器、すなわち無線アクセスポイント１や無線クライアント２から、ＬＡＮインターフェース１１の信号線を使って蓄積部搭載情報設定装置３に直流電力を供給する電源部である。電源部１６は電源回路を備え、信号に重畳されて給電された電力の管理を行う。１６ａは蓄積部搭載情報設定装置３の電力の制御を行う電源制御手段、１６ｂは無線アクセスポイント１や無線クライアント２の検出を行う電源供給機器検出手段である。電源供給機器検出手段１６ｂは、コネクタ４が無線アクセスポイント１や無線クライアント２のネットワークコネクタ７に装着されると、これを検出し、電源制御手段１６ａが直流電力を安定して得られるように制御するものである。なお、実施の形態１においては、ＰｏＥによる電源を利用したが、電池を電源にするのでもよい。
【００２９】
１７はスイッチ６を切り替えることにより無線ＬＡＮ設定情報取得モードと無線ＬＡＮ設定情報送信モードの切り替えを入力する切り替え手段である。図３においては、切り替え手段１７は制御部１５の機能実現手段として構成している。無線アクセスポイント１が無線設定情報送信モードにあるとき、スイッチ６を設定情報取得モードに切り替えると、情報取得手段１５ａから所定のプロトコルに従って通信設定情報要求が送信され、無線アクセスポイント１では無線部（図示しない）の無線ＬＡＮ設定情報を設定情報記憶部１４ａから取り出し、所定のプロトコルに従ったメッセージに収容して送信する。これにより、情報取得手段１５ａは無線ＬＡＮ設定情報を取得し、設定情報記憶部１４ａに記憶する。
【００３０】
同様に、無線クライアント２が無線設定情報自動設定モードにあるとき、スイッチ６を設定情報送信モードに切り替えると、クライアントである無線クライアント２からの要求で、情報送信手段１５ｂが無線ＬＡＮ設定情報を所定のプロトコルに従ったメッセージに収容して送信し、無線クライアント２では無線ＬＡＮ設定情報を無線部（図示しない）に対して設定することができるものである。
【００３１】
続いて、本発明の実施の形態１における無線アクセスポイント１と無線クライアント２の内部構成図について説明する。両者は同一機能が多く、以下、同一符号は同一構成を示すものである。まず、無線アクセスポイント１について説明すると、図４（ａ）に示すように、２１は無線クライアント２との間で無線通信を行う無線部、２２は蓄積部搭載情報設定装置３から送信された信号を受信するＩＥＥＥ８０２．３（ＣＳＭＡ／ＣＤ）等のＬＡＮ規格に適合したＬＡＮインターフェースである。２３はＬＣＤ等のディスプレイに表示を行う表示部である。無線部２１には、図示しないが、無線信号の送受信を行うためのアンテナが設けられている。２４は各種情報やプログラムを記憶した記憶部である。記憶部２４は基本のプログラムを記憶したＲＯＭと、無線ＬＡＮ設定情報を書き込むフラッシュメモリ、ＥＰＰＲＯＭ等から構成される。２４ａは無線ＬＡＮ設定情報を記録する設定情報記憶部である。
【００３２】
また、２５は無線クライアント２または無線アクセスポイント１のシステム制御を行い、蓄積部搭載情報設定装置３との間で通信する制御部である。制御部２５は、ハードウェアとしてＣＰＵから構成され、記憶部２４のプログラムを読み込んで機能実現手段として実現される。図４（ａ）に示す２５ａは無線アクセスポイント１に設けられ、所定のプロトコルに従って無線ＬＡＮ設定情報を送信する情報送信手段、２５ｂはＴＣＰ／ＩＰ等でネットワークと通信をするためのネットワーク通信手段である。
【００３３】
さらに、２６は無線部２１を制御して無線クライアント２と無線アクセスポイント１間で無線プロトコルにより通信リンクを形成する無線制御部である。２７はＬＡＮインターフェース２２の信号線を使って蓄積部搭載情報設定装置３にＰｏＥにより直流電力を供給
するときの電力の管理を行う電源供給部である。２７ａは無線クライアント２または無線アクセスポイント１の供給電力の制御を行う電源制御手段である。なお、蓄積部搭載情報設定装置３が電源として電池を搭載しているときは、この電源供給部２７は必要がない。２８は無線アクセスポイント１を無線設定情報送信モードに設定して、サーバとして蓄積部搭載情報設定装置３からの要求メッセージに応答させるためのモード切替手段である。
【００３４】
続いて、無線クライアント２について説明する。無線アクセスポイント１と同一符号のものは説明を省略すると、図４（ｂ）に示すように、２１は無線部、２２はＬＡＮインターフェース、２３は表示部である。２４は記憶部、２４ａは無線ＬＡＮ設定情報を記録する設定情報記憶部である。
【００３５】
２５は制御部であり、２５ｂはネットワーク通信手段、２５ｃは無線設定情報自動設定モードで蓄積部搭載情報設定装置３に無線ＬＡＮ設定情報を要求する情報取得手段である。２６は無線制御部、２７は電源供給部、２７ａは電源制御手段である。２９は無線クライアント２を無線設定情報自動設定モードにするための入力が行える入力部である。
【００３６】
さて、蓄積部搭載情報設定装置３を使って無線アクセスポイント１からどのように無線ＬＡＮ設定情報を取得するのか、また取得した無線ＬＡＮ設定情報をどのようにして無線クライアント２に設定するのかについて以下説明する。無線アクセスポイント１のネットワークコネクタ７に蓄積部搭載情報設定装置３のコネクタ４を装着する。このとき電源供給機器検出手段１６ｂは、コネクタ４がネットワークコネクタ７に装着されたことを検出し、電源制御手段１６ａと電源制御手段２７ａが直流電力を安定して供給する。次いで無線アクセスポイント１のモード切替手段２８を無線設定情報送信モードにセットする。モード切替手段２８はソフトスイッチ、物理スイッチのいずれを使って切り替えるのでもよい。
【００３７】
次に、蓄積部搭載情報設定装置３のスイッチ６を無線ＬＡＮ設定情報の取得モードに切り替えると、情報取得手段１５ａは設定情報要求を送信する。このとき制御部１５は表示部１３を動作させて第１ＬＥＤ５ａの点滅を開始させる。無線アクセスポイント１では無線ＬＡＮ設定情報を取り出し、無線ＬＡＮ設定情報を収容した所定のプロトコルに従ったメッセージを送信する。情報取得手段１５ａは取得した無線ＬＡＮ設定情報を設定情報記憶部１４ａに格納する。この格納が終了すると、第１ＬＥＤ５ａの点滅を停止し、格納終了を示すように第１ＬＥＤ５ａを点灯させる。
【００３８】
続いて、蓄積部搭載情報設定装置３のスイッチ６を無線ＬＡＮ設定情報の送信モードに切り替え、自動設定モードに設定した無線クライアント２のネットワークコネクタ７に蓄積部搭載情報設定装置３のコネクタ４を装着する。このとき電源供給機器検出手段１６ｂは、コネクタ４がネットワークコネクタ７に装着されたことを検出し、電源制御手段１６ａと電源制御手段２７ａが直流電力を安定して供給する。また、無線クライアント２の情報取得手段２５ｃは、設定情報要求を送信する。
【００３９】
これに対し、蓄積部搭載情報設定装置３の情報送信手段１５ｂが、設定情報記憶部１４ａから無線ＬＡＮ設定情報を取り出し、無線ＬＡＮ設定情報を収容したメッセージを送信する。このとき制御部１５は表示部１３を動作させ、送信中であることを示すように第１ＬＥＤ５ａの緩やかな点滅を開始させる。ＡＣＫが返ってきたとき、制御部１５は第１ＬＥＤ５ａの点滅を停止し、第１ＬＥＤ５ａを点灯させる。
【００４０】
以上の手順から分かるように、実施の形態１の蓄積部搭載情報設定装置３は、コネクタ４を着脱させるだけで無線アクセスポイント１から無線ＬＡＮ設定情報を取得し、無線クライアント２に設定することができる。コネクタとしてＲＪ−４５を使用することで汎用
性があり、蓄積部搭載情報設定装置３をそのまま無線アクセスポイント１または無線クライアント２のネットワークコネクタ７に挿しておけば、ネットワークストレージとして格納したファイルや各種情報をクライアントからアクセスすることにより利用することができる。また、ＰｏＥを使っているので電源を用意することが不要で、装置を小型化できるとともに、使用し易いネットワークストレージにすることができる。
【００４１】
なお、蓄積部搭載情報設定装置３の設定情報記憶部１４ａに格納されている無線ＬＡＮ設定情報は、コンピュータ装置を使って編集することができる。図示はしないが、上述の無線クライアント２と同様に、蓄積部搭載情報設定装置３をＬＡＮインターフェースのネットワークコネクタ７に挿すか、あるいはケーブルを使って接続し、コンピュータ装置から蓄積部搭載情報設定装置３の、例えば所定のポート番号１０６６７宛に無線ＬＡＮ設定情報を要求すればよい。蓄積部搭載情報設定装置３はこの要求に対して設定情報記憶部１４ａに格納されている無線ＬＡＮ設定情報を送信する。
【００４２】
コンピュータ装置ではこの無線ＬＡＮ設定情報を受信して編集する。編集後、コンピュータ装置から蓄積部搭載情報設定装置３の、例えば所定のポート番号１０６６８宛に送信すると、待ち受け状態の蓄積部搭載情報設定装置３の制御部１５が設定情報記憶部１４ａの無線ＬＡＮ設定情報を更新する。
【００４３】
このように設定情報記憶部１４ａの無線ＬＡＮ設定情報をコンピュータ装置で編集することによって、無線アクセスポイント１と無線クライアント２の双方に同じ無線ＬＡＮ設定情報を設定することができる。この場合、無線アクセスポイント１と無線クライアント２をいずれも自動設定モードとして、情報送信手段１５ｂによって無線ＬＡＮ設定情報を収容したメッセージをそれぞれに送信する。
【００４４】
（実施の形態２）
本発明の実施の形態２の情報設定装置を使った無線アクセスポイントと無線クライアント間の無線ＬＡＮ設定情報の設定について説明する。図５（ａ）は本発明の実施の形態２における情報設定装置の斜視図、図５（ｂ）は（ａ）の情報設定装置のコネクタをジャックに装着したときの断面要部図、図６は本発明の実施の形態２における情報設定装置の内部ブロック構成図である。実施の形態２の情報設定装置と無線アクセスポイント、無線クライアントは、実施の形態１の情報設定装置と無線アクセスポイント、無線クライアントと基本的に同一構成であり、同一符号は同一の内容を示すものであるから、説明は実施の形態１に譲って省略する。
【００４５】
実施の形態２の蓄積部搭載情報設定装置３は、実施の形態１のようにスイッチ６を設けるのではなく、コネクタ４に装着した相手を判別する判別部を設けたものである。図５（ａ）（ｂ）において、４ａはコネクタ４の外表面に設けられた接触端子（本発明の端子）である。なお、図５（ａ）（ｂ）に図示したコネクタ４は図２に示すＲＪ−４５のモジュラ式タイプのものではないが、当然ＲＪ−４５を使うこともできる。この場合、図５（ａ）（ｂ）のような接触端子４ａ，４ａを使うこともできるが、空きピンを使うことができる。これについては後記する。７はコネクタ４を装着する無線アクセスポイント１や無線クライアント２、上述の編集のためのコンピュータ装置等のネットワークコネクタ７である。このネットワークコネクタ７はジャックとなっている。蓄積部搭載情報設定装置３のコネクタ４がこのジャックに挿入されてＬＡＮインターフェース１１，２２間が接続される。７ａはネットワークコネクタ７のジャック内面に形成された薄膜の機器判別回路である。機器判別回路７ａは無線ＬＡＮ設定情報が格納されている無線アクセスポイント１等の通信機器に設けられる。そして機器判別回路７ａは、接触端子４ａ，４ａが接触したとき、電圧の印加された接触端子４ａ，４ａ間を短絡させ、通信機器が、例えば無線アクセスポイント１であることを判別するものである。機器判別回路７ａが設けられていない通
信機器の場合は、接触端子４ａ，４ａ間は短絡せず、相手が無線アクセスポイント１でない通信機器であることが判別できる。
【００４６】
なお、この接触端子４ａ，４ａに代えて図２に示すＲＪ−４５の全８ピンのうちの２ピンの空きピンを使うことができる。この場合、無線アクセスポイント１の空きピンを短絡し、無線クライアント２の空きピンを開放することで、通信機器は、空きピンが短絡してあれば無線クライアント、短絡していなければそれ以外の通信機器と判断できる。
【００４７】
次に図６において、１１ａは物理層、データリンク層のプロトコル処理を行うＬＡＮインターフェース１１に設けられ、接触端子４ａ，４ａに接続される判別部である。判別部１１ａが、ショートの有無により相手が無線ＬＡＮ設定情報をもっている無線アクセスポイント１と判別すると、制御部１５は情報取得手段１５ａに起動をかけ、情報取得手段１５ａから無線アクセスポイント１に設定情報要求を行う。これに対して、相手が無線ＬＡＮ設定情報をもっていない無線クライアント２と分ると、制御部１５は無線クライアント２からの設定情報要求を待って、情報送信手段１５ｂが無線ＬＡＮ設定情報を送信する。
【００４８】
このように実施の形態２の蓄積部搭載情報設定装置３は、コネクタ４を着脱させるだけで自動的に相手が無線アクセスポイント１か無線クライアント２かを判別することができる。このとき、無線アクセスポイント１の場合は無線ＬＡＮ設定情報を取得し、これを無線クライアント２に送信して設定することができる。また、相手が無線クライアント２の場合は、無線ＬＡＮ設定情報を取得しているときはこれを送信する。その後ネットワークストレージとして利用する。
【００４９】
（実施の形態３）
本発明の実施の形態３の情報設定装置を使った無線アクセスポイントと無線クライアントの自動判定とそれを使った自動設定について説明する。図７は本発明の実施の形態３における情報設定装置の内部ブロック構成図、図８は本発明の実施の形態３における情報設定装置の行う自動判定のフローチャートである。実施の形態３の情報設定装置と無線アクセスポイント、無線クライアントは、実施の形態１の情報設定装置と無線アクセスポイント、無線クライアントと基本的に同一構成であり、同一符号は同一の内容を示すものであるから、説明は実施の形態１に譲って省略する。
【００５０】
実施の形態３の蓄積部搭載情報設定装置３は、実施の形態１のようにスイッチ６を設けたり、実施の形態２のように判別部１１ａを設けるのではなく、所定の無線設定情報交換プロトコルを利用するものである。相手がサーバであれば、要求メッセージを送信すると応答メッセージが返ってくるが、相手がサーバでなければ、応答メッセージが返ってくることはない、ということを利用するものである。
【００５１】
図７において、１５ｃは所定のプロトコルに従ったメッセージで自動設定要求を送信したとき、応答の有無を利用して相手が無線アクセスポイント１か無線クライアント２かを判定する判定手段である。なお、判定手段１５ｃは制御部１５に機能実現手段として設けられる。１８はタイマである。タイマ１８は、タイムアウトしたときに応答または要求がなかったと判断するためのものである。
【００５２】
そこで、本発明の実施の形態３の情報設定装置による相手が無線アクセスポイント１か無線クライアント２かの自動判定と自動設定の手順について説明する。図８に示すように、無線アクセスポイント１か無線クライアント２か分からない通信機器のネットワークコネクタ７に蓄積部搭載情報設定装置３のコネクタ４を装着する（ｓｔｅｐ１）。制御部１５は、コネクタ４が接続されたことを接続検出部（図示せず）からの出力により検出すると、タイマ１８に第１カウント時間のカウントを開始させる（ｓｔｅｐ２）。第１カウン
ト時間としてとしては２秒程度のごく短時間が適当である。続いて、情報取得手段１５ａが自動設定要求を送信する（ｓｔｅｐ３）。この自動設定要求に対して通信機器から応答が返ってきたか否かを判定する（ｓｔｅｐ４）。この応答が第１カウント時間内に返ってきたときは、相手通信機器は無線アクセスポイント１（サーバ）であることが分るから、情報取得手段１５ａが設定情報要求を送信し、無線ＬＡＮ設定情報を取得する（ｓｔｅｐ５）。
【００５３】
続いて、ｓｔｅｐ４において応答がなかった場合には、第１カウント時間が経過したかをチェックし（ｓｔｅｐ６）、経過していなかった場合はｓｔｅｐ３に戻り、カウントアウトするまで繰り返す。ｓｔｅｐ６でカウントアウトした場合、これによって、コネクタ４を装着している通信機器が無線アクセスポイント１以外の通信機器であることが推定できる。
【００５４】
そこで、再度タイマ１８に第２カウント時間をセットし、カウントを開始する（ｓｔｅｐ７）。これは、相手の通信機器が無線アクセスポイント１ではないと判断されたため、相手が無線クライアント２であるか否かを判定するための時間である。ここで、無線クライアント２の情報取得手段２５ｃは、蓄積部搭載情報設定装置３から自動設定要求を受信すると、第１カウント時間よりも長い時間経過後（例えば、第１カウント時間＋３秒）にメッセージによる要求を出力するように設定されており、第２カウント時間としては１０秒程度が適当である。
【００５５】
第２カウント時間をセットした後、相手通信機器から所定のプロトコルに従ったメッセージによる設定情報送信の要求があったか否かを判定する（ｓｔｅｐ８）。要求があった場合、相手通信機器は無線クライアント２であることが分かるから、設定情報要求の受信を待って、無線ＬＡＮ設定情報を送信する（ｓｔｅｐ９）。
【００５６】
第２カウント時間が経過するまで要求が送信されるのを待ち（ｓｔｅｐ１０）、要求がなければ判定不能の場合であり、設定手順を終了する。エラーとして処理する。
【００５７】
なお、実施の形態３では、蓄積部搭載情報設定装置３からの自動設定要求に対して、無線クライアント２が要求を行なうこととしているが、ｓｔｅｐ７の後、蓄積部搭載情報設定装置３からの確認要求に対して、無線クライアント２が要求を行なうようにするようにしてもよい。
【００５８】
また、実施の形態３では、蓄積部搭載情報設定装置３のコネクタ４が接続されたことを検出した後に自動設定要求を行なうこととしているが、蓄積部搭載情報設定装置３にプッシュボタンを設け、そのプッシュボタンの押下を検出後、自動設定要求を行なうようにしてもよい。
【００５９】
このように実施の形態３の情報設定装置は、所定のプロトコルに従ったプロトコルを利用し、相手がサーバか、クライアントか、それ以外かを判定することにより、無線アクセスポイント１か無線クライアント２かを自動判定し、無線アクセスポイント１、無線クライアント２間で自動設定することができる。
【産業上の利用可能性】
【００６０】
本発明は、盗聴されることなく共通の通信パラメータを容易且つ確実に通信装置間で設定できる情報設定装置、とくにネットワークストレージに搭載した情報設定装置に適用できる。
【図面の簡単な説明】
【００６１】
【図１】本発明の実施の形態１における無線システムの構成図
【図２】本発明の実施の形態１の情報設定装置の斜視図
【図３】本発明の実施の形態１における情報設定装置の内部ブロック構成図
【図４】（ａ）本発明の実施の形態１における無線アクセスポイントの内部ブロック構成図、（ｂ）本発明の実施の形態１における無線クライアントの内部ブロック構成図
【図５】（ａ）本発明の実施の形態２における情報設定装置の斜視図、（ｂ）（ａ）の情報設定装置のコネクタをジャックに装着したときの断面要部図
【図６】本発明の実施の形態２における情報設定装置の内部ブロック構成図
【図７】本発明の実施の形態３における情報設定装置の内部ブロック構成図
【図８】本発明の実施の形態３における情報設定装置の行う自動判定のフローチャート
【符号の説明】
【００６２】
１    無線アクセスポイント
２    無線クライアント
３    蓄積部搭載情報設定装置
４    コネクタ
４ａ    接触端子
５    ＬＥＤ
５ａ    第１ＬＥＤ
５ｂ    第２ＬＥＤ
６    スイッチ
７    ネットワークコネクタ
７ａ    機器判別回路
１１    ＬＡＮインターフェース
１１ａ    判別部
１２    情報蓄積部
１２ａ    情報管理サーバ
１３    表示部
１４    記憶部
１４ａ，２４ａ    設定情報記憶部
１５    制御部
１５ａ    情報取得手段
１５ｂ    情報送信手段
１５ｃ    判定手段
１６    電源部
１６ａ，２７ａ    電源制御手段
１６ｂ    電源供給機器検出手段
１７    切り替え手段
１８    タイマ
２２    ＬＡＮインターフェース
２３    表示部
２４    記憶部
２５    制御部
２５ａ    情報送信手段
２５ｂ    ネットワーク通信手段
２５ｃ    情報取得手段
２６    無線制御部
２７    電源供給部
２８    モード切替手段
２９    入力部
【図１】
2005260539.tif 000003
【図２】
2005260539.tif 000004
【図３】
2005260539.tif 000005
【図４】
2005260539.tif 000006
【図５】
2005260539.tif 000007
【図６】
2005260539.tif 000008
【図７】
2005260539.tif 000009
【図８】
2005260539.tif 000010